(57)【要約】【課題】  ピント板の交換が可能なカメラにおいて、装着されたピント板の特性に応じて測光値を補正できる測光装置を提供する。【解決手段】  ピント板交換式のＳＬＲカメラにおいて、装着されているピント板の識別を測光系を用いて行う。識別されたピント板の種類により測光補正値を切り替える。ピント板識別モードを備え、二つの所定の絞り値における測光センサー出力の比率から装着されているピント板の拡散特性を判別する。【選択図】  図１
2006139188.tif 000002
【特許請求の範囲】
【請求項１】
ピント板を透過した被写体光束を受光して被写体輝度を測定する測光手段と、ピント板を着脱可能とする保持部材を備え、装着されたピント板の特性を測光手段により検出し、測光補正パラメータを前記測光手段のピント板特性検出結果に基づき決定するパラメータ決定手段とを有する事を特徴とするカメラの測光装置。
【発明の詳細な説明】
【技術分野】
【０００１】
本発明は、ピント板の交換が可能なカメラの測光装置に関する。
【背景技術】
【０００２】
一般に一眼レフカメラは、撮影レンズで形成された被写体像を撮像面と等価位置に配設されたピント板に結像させて、ピント板上の被写体像を、ペンタプリズム、アイピースレンズを介して正立実像として拡大観察するファインダー装置を備えている。一般にピント板にはアイピースレンズ側に拡散面を備え、撮影レンズ側にはフレネルレンズが形成されている。被写体の明るさに応じた露光量を決定するためにペンタプリズムの射出部、アイピースレンズ近傍に測光センサーと測光センサーを配置し、ピント板上の被写体像を測光センサーの受光面に再結像させて、その被写体像に応じた測光センサーの出力に基づいて被写体輝度を測定している。
【０００３】
ピント板は装着される撮影レンズの開放Ｆｎｏと射出瞳距離に応じて拡散特性の異なるものが種々開発されている。Ｆｎｏの明るいレンズがカメラに装着された場合には拡散特性の大きいすなわち配光角の大きなピント板を装着することにより合焦状態の確認が容易となるし、比較的Ｆｎｏの暗いレンズがカメラに装着された場合には拡散特性の小さなピント板を装着することにより被写体像をより明るく観察ことができる。
【０００４】
例えば、特許文献１参照。
【特許文献１】特開平１１−２３７６５７号公報
【発明の開示】
【発明が解決しようとする課題】
【０００５】
しかしながら、このような多種のピント板の中から任意のピント板を交換し装着が可能なカメラでは、装着されたピント板の拡散特性によって、ピント板を透過する被写体光束の状態、透過光量などが相違する。そのため、ピント板が異なると測光センサーに入射する被写体光束の状態、光量なども変化してしまい、正確な測光ができない場合がある。
【０００６】
本発明は、ピント板の交換が可能なカメラにおいて、装着されたピント板の特性に応じて測光値を補正できる測光装置を提供することを目的とする。
【課題を解決するための手段】
【０００７】
この目的を達成する請求項１記載の発明は、ピント板を透過した被写体光束を受光して被写体輝度を測定する測光手段と、前記ピント板を着脱可能に保持するピント板保持手段とを備えたカメラであって、ピント板の種類を識別動作を行うピント板識別動作モードを有し、このピント板識別モードではレンズの絞りを変化させながら連続して複数回の測光動作を行い測光値の変化からピント板の拡散特性、フレネルレンズパワーを識別しピント板の種類を特定する。識別したピント板に対応した補正値を選択使用する制御手段を有し、また種類の特定できない未知のピント板に対しても絞りを変化させながらの測光動作により必要な補正値の算出を可能とした特徴を有するカメラの測光装置である。
【発明の効果】
【０００８】
以上説明したように本発明では既存の測光装置を用いて装着されたピント板の特性を判別することができその判別結果に基づき拡散特性に応じた測光補正値を用いることにより正確な測光動作が可能となる。
【発明を実施するための最良の形態】
【０００９】
以下図面に基づいて本発明を説明する。図１は、本発明を適用した一眼レフカメラの測光装置周辺の構成を示す断面略図である。図示しない撮影レンズから入射した被写体光束は、メインミラー６で反射し、撮像面７と等価な位置に配置されたピント板１、ペンタダハプリズム２に入射する。ペンタダハプリズム２内で反射され、射出した被写体光束の光軸中心付近の光束はアイピースレンズ群３を透過して、撮影者の眼に入る。
【００１０】
アイピースレンズの上側には測光系を構成する測光レンズ４と分割測光センサー５が配置されている。ペンタダハプリズムから射出した光束を測光レンズ４により分割測光センサー５上にピント板の像として結像する。
【００１１】
分割測光センサー５は、図２に示すように、５×３に分割された光電素子からなりピント板上の領域を対応する形で分割して測光することができる。測光センサー５の分割された各部位の出力値に応じて被写体の明るさを測定し、必要な露光量を決定する。同じＦｎｏのレンズが装着されてもピント板の配光特性の違いにより測光センサーの出力値は異なる。ピント板の判別には５１で示す画面中心に対応するセンサーの出力を用いる。画面中心のセンサーを用いることにより、撮影レンズの瞳位置による出力変化は発生しないため後でのべるピント板判別動作が安定して可能となる。
【００１２】
図３には、このカメラの制御回路の要部を示している。図示実施の形態では、制御手段として、カメラ全体の動作を統括的に制御ＣＰＵ１０１と撮影レンズ側に設置されレンズの制御を行うＬＰＵ１０２を備えている。レンズ側にあるＬＰＵは絞り装置１０３が接続されその制御を行うとともに、レンズ固有情報を記憶したＥＥＰＲＯＭ１０４の情報をカメラ側ＣＰＵ１０１に伝達する。
【００１３】
一方、ＣＰＵ１０１には、ピント板の種類に応じた測光モード、露出補正値などに関するデータが書き込まれた記憶手段としてＥＥＰＲＯＭ１０５が接続され、スイッチ手段として、電源のオン／オフを制御するメインスイッチ１０６、レリーズスイッチ１０７などが接続され、また絞り値やシャッタ速度などを変更するための操作スイッチ１０８、１０９、測光センサー５が接続されている。またＣＰＵ１０１には、カメラの主要機能であるシャッタ装置１１０、絞り値やシャッタ速度などの撮影情報を表示する表示装置１１１に接続されている。またモード切り替えスイッチ１１２がＣＰＵ１０１に接続されモード切り替えスイッチ１１２の操作によりピント板識別動作モードとすることができる。ピント板識別モードで識別されたピント板の種類はＥＥＰ−ＲＯＭ１０５に記憶され、測光動作時には識別されたピント板固有の測光補正情報を用いて測光動作を行う。ピント板識別動作を図４のフローチャートを用いて説明する。カメラ操作者はカメラのピント板交換後、もしくは任意の時点でモード切り替え装置を操作してピント板判別モードにする（ステップ２０１）、カメラは表示装置１１１にピント板判別モードであることを表示する（ステップ２０２）、カメラはレンズが装着されていることを確認し、絞りを第１の所定値として第１の測光動作を行い第１の測光値を記憶する（ステップ２０３）。このときレンズ判別動作可能なレンズが装着されていない場合と所定の測光値以上の明るさが得られない場合はステップ２０２に戻り判別モードにあることを操作者に確認する。ステップ２０３において所定以上の出力が得られた場合、ただちに絞りを第２の所定値として第２の測光動作を行い第２の測光値を記憶する（ステップ２０４）。第１の測光値と第２の測光値を比較し装着されているピント板の判別を行う。判別されたピント板の種類をＥＥＰ−ＲＯＭ１０５に記憶する。
【００１４】
次に判別の原理について説明する。図１の測光光学系光軸９はファインダー光軸８に対して所定の角度を持って設置されている。ピント板に対するファインダー光軸と測光光学系の光軸を模式的に示した図が図５である。１はピント板、８はファインダー光軸、９は測光光学系の光軸でファインダー光軸８に対してαの角度をなしている。１０はピント板１に入射角度０で入射する光線を示している。光線１０はピント板１の拡散特性により最大１２で示す矢印の方向に拡散しファインダー光軸８とβの角度をなす状態をしめす。一方、ピント板１の拡散特性が大きな場合には最大１３で示す矢印の方向に拡散しファインダー光軸８とβ´の角度まで拡散する。α＜β´であるからレンズのＦｎｏが小さくどんなに細い光線がピント板中央に入射しても画面中心に対応するセンサー出力値を得ることが出来る。α＞βではＦｎｏが小さく細い光線が入射する場合測光系への入射光束は無く出力が得られないことになる。実際の撮影レンズではピント板に入射する光線は入射角度０だけでなくレンズのＦｎｏに対応する光線が入射する。図中の１３をレンズの周辺光束としてファインダー光軸となす角をγとすれば、ピント板の拡散特性によりピント板から射出する角度はγ＋βとなりβは拡散特性により異なる。γ＋βが測光光学系のファインダー光軸８となす角αより小さくなると測光系へ入射する光束がなくなり測光センサーの出力は極端に小さくなる。従ってレンズの絞り機構を用いてＦｎｏすなわちγを変化させ測光センサーの出力が小さくなるγを探すことによりβの値を判定することが可能となる（ここでαは既知であるとする）。ピント板の特性による測光出力のγ特性を図６に示す。角度をα＝８°、β＝５°もしくはβ＝１０°とする。β＝５°の場合γが５°程度までは緩やかに出力が低下するが、５°を境としてそれよりもγを小さくすると急激に出力が低下しγ＝３°程度で出力がほぼ０となる。一方、β＝１０°の場合γの低下に伴いセンサー出力値は緩やかに低下する。γ＝５°の時の測光センサー出力とγ＝２°の測光センサー出力値を比較することにより装着されているピント板の拡散角が５°であるか１０°であるか判別できる。γ＝５°としたときの測光センサー出力をＥ１、γ＝２°としたときの測光センサー出力をＥ２としたときＥ２／Ｅ１≒０であればβ＝５°のピント板が装着されていると判別でき、Ｅ２／Ｅ１≒０．２であった場合はβ＝１０°のピント板が装着されていると判別できる。
【００１５】
図６でしめす曲線はピント板の特性によって異なり、あらかじめγすなわちＦｎｏに応じたセンサー出力を測定しＥ２／Ｅ１の値を記憶しておけば複数の特性のピント板を判別することが可能となる。
【図面の簡単な説明】
【００１６】
【図１】本発明の第１実施例の構成を表す図。
【図２】本発明を構成する測光センサーを表す図。
【図３】本発明の構成する制御回路要部を示す図。
【図４】ピント板判別のフローチャート。
【図５】測光光学系の光軸とピント板拡散特性の関係を示す図。
【図６】絞り値に応じた測光出力とピント板拡散特性の関係を示すグラフ。
【符号の説明】
【００１７】
１  ピント板
２  ペンタプリズム
３  接眼レンズ
４  測光レンズ
５  測光センサー
６  主ミラー
７  撮像面
８  ファインダー光軸
９  測光光学系光軸
【図１】
2006139188.tif 000003
【図２】
2006139188.tif 000004
【図３】
2006139188.tif 000005
【図４】
2006139188.tif 000006
【図５】
2006139188.tif 000007
【図６】
2006139188.tif 000008